(57)【要約】      （修正有）【課題】携帯に便利であり、製造コストが廉価で済み、かつ新しい枕にも既存の枕にも適用することができるいびき解消のための横向寝修得訓練具を提供する。【解決手段】枕１２の中央部付近に装着し、枕の表面に該枕の短手方向側面と平行な一部盛り上がり部１８を形成せしめ、就寝者の頭部２０が該一部盛り上がり部によって動きを規制されることで横向状態となるようにして横向寝修得訓練具を構成する。さらに、枕表面１４と当接せしめられる枕当接面２２と、枕表面に一部盛り上がり部を形成するための盛り上がり面２５と、を含む訓練具本体２４と、該訓練具本体を該枕に脱着自在に固定せしめるための脱着固定手段２６と、を含むようにした。【選択図】図２
0003162500.tif 000002
【実用新案登録請求の範囲】
【請求項１】
枕の中央部付近に装着し、枕の表面に該枕の短手方向側面と平行な一部盛り上がり部を形成せしめ、就寝者の頭部が該一部盛り上がり部によって動きを規制されることで横向状態となるようにした横向寝修得訓練具であり、枕表面と当接せしめられる枕当接面と、枕表面に一部盛り上がり部を形成するための盛り上がり面と、を含む訓練具本体と、該訓練具本体を該枕に脱着自在に固定せしめるための脱着固定手段と、を含むことを特徴とする横向寝修得訓練具。
【請求項２】
前記脱着固定手段が、該訓練具本体に取り付けられたベルト部材であり、該枕の短手方向にベルト部材を周回させて該ベルト部材の端部を互いに係着せしめることにより、該訓練具本体を該枕に固定せしめることを特徴とする請求項１記載の横向寝修得訓練具。
【請求項３】
前記訓練具本体が、装着される枕の短手方向側面の長さと略同一の長さを有することを特徴とする請求項１又は２記載の横向寝修得訓練具。
【請求項４】
前記訓練具本体が、弾性を有することを特徴とすることを特徴とする請求項１〜３いずれか１項記載の横向寝修得訓練具。
【請求項５】
前記訓練具本体が、内部に空気を入れて膨らませることで弾性が付与されてなることを特徴とする請求項４記載の横向寝修得訓練具。
【考案の詳細な説明】
【技術分野】
【０００１】
本考案は、いびき解消のための新規な横向寝修得訓練具に関する。
【背景技術】
【０００２】
従来、いびきを防止するには、横向きに寝ると効果があり、常に横向きに寝る習慣を身に付けることが、いびき解消の近道である。その為、例えば特許文献１に示すような健康枕が提案されている。
【０００３】
しかしながら、特許文献１や特許文献２に開示された枕は、横向き状態とするために、枕に装置を組み込むものである。
【０００４】
上記したような装置では、旅先に持って行くのには大変かさばるし、また、重くなるという問題がある。
【０００５】
さらに、製造者側としては、枕を製造するためのコストがかかってしまうという問題があり、消費者側としては、新たに枕を購入する必要があり、現在使っている枕を使えなくなるという問題があった。
【先行技術文献】
【特許文献】
【０００６】
【特許文献１】特開２００６−２３１００８
【特許文献２】特開２００６−５１２２３
【考案の開示】
【考案が解決しようとする課題】
【０００７】
本考案は、上記従来技術の問題点に鑑みてなされたもので、携帯に便利であり、製造コストが廉価で済み、かつ新しい枕にも既存の枕にも適用することができるいびき解消のための横向寝修得訓練具を提供することを目的とする。
【課題を解決するための手段】
【０００８】
上記課題を解決するために、本考案の横向寝修得訓練具は、枕の中央部付近に装着し、枕の表面に該枕の短手方向側面と平行な一部盛り上がり部を形成せしめ、就寝者の頭部が該一部盛り上がり部によって動きを規制されることで横向状態となるようにした横向寝修得訓練具であり、枕表面と当接せしめられる枕当接面と、枕表面に一部盛り上がり部を形成するための盛り上がり面と、を含む訓練具本体と、該訓練具本体を該枕に脱着自在に固定せしめるための脱着固定手段と、を含むことを特徴とする。
【０００９】
このようにして、就寝者の頭部が該一部盛り上がり部によって動きを規制されることで横向状態となるようにしてあるため、寝返りをするときに気づいて意識するようになり、横向寝の習慣づけをすることができる。
【００１０】
また、前記訓練具本体の脱着が容易にでき、新しい枕にも既存の枕にも適用することができるという利点がある。
【００１１】
前記脱着固定手段としては、該訓練具本体を該枕に脱着自在に固定せしめることができればよいものであるから、ベルト、紐、ファスナー、面ファスナーやボタンなどが適用可能である。
【００１２】
例えば、前記脱着固定手段が、該訓練具本体に取り付けられたベルト部材であり、該枕の短手方向にベルト部材を周回させて該ベルト部材の端部を互いに係着せしめることにより、該訓練具本体を該枕に固定せしめるのが好ましい。この場合、該ベルト部材の端部を互いに係着せしめるには、バックルなどを用いて係着せしめてもよいし、面ファスナーやボタンなどを用いてもよい。
【００１３】
前記訓練具本体が、装着される枕の短手方向側面の長さと略同一の長さを有することが好ましい。前記訓練具本体の幅としては、就寝者の頭部が該一部盛り上がり部によって動きを規制される程度であればよいもので特別の限定はない。
【００１４】
前記訓練具本体としては、就寝者の頭部が該一部盛り上がり部に当接したときに痛くない材質であればよいが、柔軟性や弾性を有するのが好ましい。例えば、前記訓練具本体の内部にスポンジ、ポリウレタン樹脂、ポリスチロール樹脂や、或いは綿などを入れた構造としたり、中空ビニール製等として内部に空気を入れて膨らませることで弾性が付与されてなるようにするのが好ましい。
【００１５】
特に、前記訓練具本体を、その内部に空気を入れて膨らませるように構成すれば、コンパクトに折りたたんで携帯し、旅先で空気を入れて膨らませて使用することができるため、携帯性に優れるという利点がある。
【００１６】
また、前記訓練具本体を取り替え可能なカバー部材で覆うようにしてもよい。カバー部材の材質としては、布、不織布、ビニールなどいずれも適用可能である。
【考案の効果】
【００１７】
本考案によれば、携帯に便利であり、製造コストが廉価で済み、かつ新しい枕にも既存の枕にも適用することができるいびき解消のための横向寝修得訓練具を提供することができるという著大な効果を奏する。
【００１８】
また、本考案によれば、無意識な寝返りを防止し、意識的に横向寝の習慣づけ及び訓練ができるという著大な効果を奏する。
【考案を実施するための形態】
【００１９】
以下に本考案の実施の形態を添付図面に基づいて説明するが、本考案の技術思想から逸脱しない限りこれらの実施の形態について種々の変更又は変形が可能なことは言うまでもない。図示において、同一部材は同一符号であらわされる。
【図面の簡単な説明】
【００２０】
【図１】本考案の横向寝修得訓練具の一つの実施の形態を示す斜視図である。
【図２】図１の状態から就寝者の頭部を枕に載せた状態を示す側面図である。
【図３】本考案の横向寝修得訓練具の別の実施の形態を装着した枕に就寝者の頭部を載せ、寝返りをしようとする状態を示す概念説明図である。
【図４】本考案の横向寝修得訓練具を装着していない枕で寝返りをする場合を示す概念説明図である。
【００２１】
図において、符号１０Ａは本考案の横向寝修得訓練具の一つの実施の形態を示す。図１及び図２によく示される如く、横向寝修得訓練具１０Ａは、枕１２の中央部付近に装着し、枕１２の表面１４に該枕１２の短手方向側面１６ａ，１６ｂと平行な一部盛り上がり部１８を形成せしめ、就寝者の頭部２０が該一部盛り上がり部１８によって動きを規制されることで横向状態となるようにした横向寝修得訓練具である。横向寝修得訓練具１０Ａは、枕表面１４と当接せしめられる枕当接面２２と、枕１２の表面１４に一部盛り上がり部１８を形成するための盛り上がり面２５と、を含む訓練具本体２４と、該訓練具本体２４を該枕１２に脱着自在に固定せしめるための脱着固定手段２６と、を含む構成とされている。
【００２２】
また、前記脱着固定手段２６が、該訓練具本体２４に取り付けられたベルト部材２８ａ，２８ｂとされており、該枕１２の短手方向にベルト部材２８ａ，２８ｂを周回させて該ベルト部材２８ａ，２８ｂの端部に設けられた面ファスナー３０で互いに係着せしめられている。なお、前記訓練具本体２４は、枕１２の短手方向側面１６ａ，１６ｂの長さと略同一の長さを有しており、中空ビニール製等で内部に空気を入れて膨らませることで弾性が付与されている。
【００２３】
図１及び図２の例では、訓練具本体２４の盛り上がり面２５が、三角形状とした例を示したが、形状に特別の限定はなく、例えば、図３に示すような四角形状の盛り上がり面２７としてもよい。図３において、符号１０Ｂは本考案の横向寝修得訓練具の別の実施の形態を示す。
【００２４】
横向寝修得訓練具１０Ｂは、横向寝修得訓練具１０Ａの訓練具本体２４の盛り上がり面２５を三角形状ではなく四角形状の盛り上がり面２７とした以外は、上記した横向寝修得訓練具１０Ａと同様の構成である。したがって、再度の詳細な説明は省略する。なお、符号３２は布団を示す。
【００２５】
図４に、本考案に係る横向寝修得訓練具を装着していない枕で寝返りをする場合を示す。図４の状態では、就寝者の頭部２０は、動きを規制されることなく、無意識に寝返りをしてしまい、横向寝がなかなか習慣づけられない。
【００２６】
一方、本考案に係る横向寝修得訓練具を使用すれば、図３によく示されるように、就寝者の頭部が一部盛り上がり部によって動きを規制されることで横向状態となるため、無意識な寝返りを防止し、意識的に横向寝の習慣づけ及び訓練ができる。
【符号の説明】
【００２７】
１０Ａ，１０Ｂ：横向寝修得訓練具、１２：枕、１４：枕の表面、１６ａ，１６ｂ：短手方向側面、１８：一部盛り上がり部、２０：頭部、２２：枕当接面、２４：訓練具本体、２５，２７：盛り上がり面、２６：脱着固定手段、２８ａ，２８ｂ：ベルト部材、３０：面ファスナー、３２：布団。
【図１】
0003162500.tif 000003
【図２】
0003162500.tif 000004
【図３】
0003162500.tif 000005
【図４】
0003162500.tif 000006